(57)【要約】【課題】軟便の漏れを適切に防止することができる低コストの吸収性補助パッドを提供する。【解決手段】吸収性物品の端部に配置される吸収性補助パッドであって、吸収性補助パッドは、吸収性補助パッドの幅方向の一方の側端部にのみ、所定の高さの立体ギャザーを有し、トップシートは、立体ギャザーを備えていない幅方向の側端部において、吸収体の一部及びバックシートの一部を巻き込むように、折り返された形状を有し、バックシートは、立体ギャザーを備えている幅方向の側端部であって、立体ギャザーより幅方向内側において、吸収体の一部をトップシートの衣類側の位置で巻き込むように、折り返された形状を有し、さらに所定の位置に液透過体を設けた吸収性補助パッドを提供する。【選択図】図１
2019024592.tif 000002
【特許請求の範囲】
【請求項１】
液透過性のトップシートと、液不透過性のバックシートと、前記トップシート及び前記バックシートの間に配置された吸収体と、を有し、吸収性物品の端部に配置される吸収性補助パッドであって、
前記吸収性補助パッドは、前記吸収性補助パッドの幅方向の一方の側端部にのみ、撥水性又は液不透過性を有する二重のシートから構成される立体ギャザーを有し、
前記トップシートは、立体ギャザーを備えていない幅方向の側端部において、前記吸収体の一部及び前記バックシートの一部を巻き込むように、折り返された形状を有し、
前記バックシートは、前記立体ギャザーを備えている幅方向の側端部であって、前記立体ギャザーより幅方向内側において、前記吸収体の一部を前記トップシートの衣類側の位置で巻き込むように、折り返された形状を有し、
前記吸収体は、長手方向に直線状のスリットを、少なくとも一本備え、
幅方向の中心線と前記立体ギャザーを備えていない幅方向の側端部との間に位置する、吸収体の身体側表面と、トップシートと、の間に、液透過体が備えられており、
前記液透過体の幅方向の寸法は、前記吸収体の全体の幅方向の寸法に対して、１０％以上５０％以下であり、
前記液透過体の身体側に位置する前記トップシートからの前記立体ギャザーの高さは、前記吸収性補助パッドの幅方向の寸法に対して、２０％以上であり、
前記バックシートの衣類側表面には、吸収性物品との固定手段が形成されている、吸収性補助パッド。
【請求項２】
前記液透過体が、親水性不織布の積層体又は多孔質体である、請求項１に記載の吸収性補助パッド。
【請求項３】
長手方向及び幅方向の寸法が、５０ｍｍ以上３００ｍｍ以下である、請求項１又は２に記載の吸収性補助パッド。
【請求項４】
前記液透過体の身体側に位置する前記トップシートからの前記立体ギャザーの高さが、１５ｍｍ以上８０ｍｍ以下である、請求項１から３のいずれかに記載の吸収性補助パッド。
【請求項５】
前記立体ギャザーは、自由端側及び基端側に少なくとも一本ずつの伸縮弾性部材を有する、請求項１から４のいずれかに記載の吸収性補助パッド。
【請求項６】
前記液透過体の、幅方向の寸法は１０ｍｍ以上１００ｍｍ以下であり、長手方向の寸法は８０ｍｍ以上２８０ｍｍ以下である、請求項１から５のいずれかに記載の吸収性補助パッド。
【請求項７】
前記液透過体の厚みが、１ｍｍ以上１０ｍｍ以下である、請求項１から６のいずれかに記載の吸収性補助パッド。
【請求項８】
前記トップシートは、少なくとも、前記液透過体と垂直方向に重複する領域から前記立体ギャザーを備えていない幅方向の側端部までに、複数の開孔を有する、請求項１から７のいずれかに記載の吸収性補助パッド。
【発明の詳細な説明】
【技術分野】
【０００１】
本発明は、軟便の漏れを適切に防止することができる低コストの吸収性補助パッドに関する。
【背景技術】
【０００２】
一般的に成人用紙おむつには、テープ止めタイプ、パンツタイプ等があり、これらの紙おむつは使用者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ところで、テープ止めタイプやパンツタイプの紙おむつ等の吸収性物品は、それ自体を単独で使用する場合と、その内側に尿取りパッドを併用する場合があるが、現在は、尿取りパッドと併用し、尿取りパッドを、トップシート上に重ねて使用する場合がほとんどである。これは、紙おむつ１枚当たりのコストが高いためで、テープ止めタイプやパンツタイプの紙おむつに比して安価な尿取りパッドで排泄物を吸収して保持した後、尿取りパッドのみを交換することで、排泄後においても、よりコストの高いテープ止めタイプやパンツタイプの紙おむつを交換せずに済み、経済的に低いコストで吸収性物品を使用できるためである。
【０００４】
ここで、尿取りパッドは、尿量に応じて様々なサイズや形状があり、排泄された尿を確実に吸収して漏れを防止することができる。しかしながら、軟便、水様便、下痢便（以下、軟便と称する）に対しては、吸収性が不十分であり、軟便が尿取りパッド及び吸収性物品の外部に漏れることがあったため、軟便の漏れを防止することを目的とした尿取りパッドについても検討がなされている。
【０００５】
軟便の漏れを防止することを目的とした尿取りパッドとしては、例えば、特許文献１に、トップシート、バックシート、吸収体、立体ギャザーと、を備えた尿取りパッドにおいて、少なくとも股間部の前端よりも後側の範囲内における、立体ギャザーの突出部位より側方に延在する部分に、衣類側表面から見てカップ状に窪んだカップ部が設けられていることを特徴とする尿取りパッドが開示されている。
【先行技術文献】
【特許文献】
【０００６】
【特許文献１】特開２０１４−４５９８０号公報
【発明の概要】
【発明が解決しようとする課題】
【０００７】
しかしながら、特許文献１に記載の尿取りパッドにおいても、大量の軟便が排泄された場合には、尿取りパッドの漏れやすい箇所からテープ止めタイプの紙おむつ等の吸収性物品にまで軟便が漏れ、さらに、吸収性物品から軟便が衣服や寝具に漏れてしまう可能性があった。また、尿取りパッドは、テープ止めタイプの紙おむつ等の吸収性物品に補助的に用いられるものであるが、広範囲で軟便の漏れを防止しようとするが故に、必然的にサイズが大きくなることから、原材料コストが高くなり、使用者としては、コスト的に十分に満足できるものではなかったという問題もあった。したがって、本発明は以上の点の課題に鑑みてなされたものであり、軟便の漏れを適切に防止することができる低コストの吸収性物品を提供することを目的とする。
【課題を解決するための手段】
【０００８】
本発明の発明者は、上記課題に鑑み、鋭意研究を行った。その結果、吸収体等を備える吸収性補助パッドであって、吸収性補助パッドの幅方向の一方の側端部にのみ、所定の高さの立体ギャザーを有し、トップシートは、立体ギャザーを備えていない幅方向の側端部において、吸収体の一部及びバックシートの一部を巻き込むように、折り返された形状を有し、バックシートは、立体ギャザーを備えている幅方向の側端部であって、立体ギャザーより幅方向内側において、吸収体の一部をトップシートの衣類側の位置で巻き込むように、折り返された形状を有し、さらに所定の位置に液透過体を設けた吸収性補助パッドによれば、上記課題を解決できることを見出し、本発明を完成するに至った。具体的には、本発明は以下のものを提供する。
【０００９】
（１）本発明の第１の態様は、液透過性のトップシートと、液不透過性のバックシートと、前記トップシート及び前記バックシートの間に配置された吸収体と、を有し、吸収性物品の端部に配置される吸収性補助パッドであって、前記吸収性補助パッドは、前記吸収性補助パッドの幅方向の一方の側端部にのみ、撥水性又は液不透過性を有する二重のシートから構成される立体ギャザーを有し、前記トップシートは、立体ギャザーを備えていない幅方向の側端部において、前記吸収体の一部及び前記バックシートの一部を巻き込むように、折り返された形状を有し、前記バックシートは、前記立体ギャザーを備えている幅方向の側端部であって、前記立体ギャザーより幅方向内側において、前記吸収体の一部を前記トップシートの衣類側の位置で巻き込むように、折り返された形状を有し、前記吸収体は、長手方向に直線状のスリットを、少なくとも一本備え、幅方向の中心線と前記立体ギャザーを備えていない幅方向の側端部との間に位置する、吸収体の身体側表面と、トップシートと、の間に、液透過体が備えられており、前記液透過体の幅方向の寸法は、前記吸収体の全体の幅方向の寸法に対して、１０％以上５０％以下であり、前記液透過体の身体側に位置する前記トップシートからの前記立体ギャザーの高さは、前記吸収性補助パッドの幅方向の寸法に対して、２０％以上であり、前記バックシートの衣類側表面には、吸収性物品との固定手段が形成されている、吸収性補助パッドである。
【００１０】
（２）本発明の第２の態様は、（１）に記載の吸収性補助パッドであって、前記液透過体が、親水性不織布の積層体又は多孔質体であることを特徴とするものである。
【００１１】
（３）本発明の第３の態様は、（１）又は（２）に記載の吸収性補助パッドであって、長手方向及び幅方向の寸法が、５０ｍｍ以上３００ｍｍ以下であることを特徴とするものである。
【００１２】
（４）本発明の第４の態様は、（１）から（３）のいずれかに記載の吸収性補助パッドであって、前記液透過体の身体側に位置する前記トップシートからの前記立体ギャザーの高さが、１５ｍｍ以上８０ｍｍ以下であることを特徴とするものである。
【００１３】
（５）本発明の第５の態様は、（１）から（４）のいずれかに記載の吸収性補助パッドであって、前記立体ギャザーは、自由端側及び基端側に少なくとも一本ずつの伸縮弾性部材を有することを特徴とするものである。
【００１４】
（６）本発明の第６の態様は、（１）から（５）のいずれかに記載の吸収性補助パッドであって、前記液透過体の、幅方向の寸法は１０ｍｍ以上１００ｍｍ以下であり、長手方向の寸法は３０ｍｍ以上２８０ｍｍ以下であることを特徴とするものである。
【００１５】
（７）本発明の第７の態様は、（１）から（６）のいずれかに記載の吸収性補助パッドであって、前記液透過体の厚みが、１ｍｍ以上１０ｍｍ以下であることを特徴とするものである。
【００１６】
（８）本発明の第８の態様は、（１）から（７）のいずれかに記載の吸収性補助パッドであって、前記トップシートは、少なくとも、前記液透過体と垂直方向に重複する領域から前記立体ギャザーを備えていない幅方向の側端部までに、複数の開孔を有することを特徴とするものである。
【発明の効果】
【００１７】
本発明の吸収性補助パッドは、吸収性補助パッドの幅方向の一方の側端部にのみ、撥水性又は液不透過性を有する二重のシートから構成される所定の高さの立体ギャザーを有する。このため、吸収性補助パッドを、テープ止めタイプの紙おむつ等の吸収性物品の端部に、立体ギャザーが吸収性物品の外周方向となるようにして、配置することにより、吸収性補助パッドの吸収性を維持しつつ、軟便の漏れを効果的に防止することができる。また、トップシートは、立体ギャザーを備えていない幅方向の側端部において、吸収体の一部及びバックシートの一部を巻き込むように、折り返された形状を有している。このため、吸収性物品のトップシート上から移行してきた軟便を、吸収性補助パッドの身体側表面だけでなく、立体ギャザーを備えていない側端部からも吸収することができ、より効率的に軟便を吸収することができる。さらに、バックシートは、立体ギャザーを備えている幅方向の側端部であって、立体ギャザーより幅方向内側において、吸収体の一部をトップシートの衣類側の位置で巻き込むように、折り返された形状を有している。このため、吸収体に移行した軟便が吸収性補助パッド及び吸収性物品の外側に漏れることを効果的に防止することができる。
【００１８】
さらに、本発明の吸収性補助パッドは、幅方向の中心線と立体ギャザーを備えていない幅方向の側端部との間に位置する、吸収体の身体側表面と、トップシートと、の間に、液透過体を備えている。液透過体を幅方向の中心線と立体ギャザーを備えていない幅方向の側端部との間に設けることにより、液透過体が軟便をせき止めながら選択的に水分を吸収体に導くことができ、軟便の流動性が低下するため、軟便が吸収性補助パッド及び吸収性物品の外側に漏れることをより効果的に防止することができる。また、本発明の吸収性補助パッドは、吸収性物品の漏れやすい部分に対して局所的に用いることができるため、従来の吸収性物品と比較して、サイズを小さくすることができ、原材料コストを抑えることができる。よって、本発明によれば、軟便の漏れを適切に防止することができ、かつ、低コスト化を実現できる。
【図面の簡単な説明】
【００１９】
【図１】本発明の吸収性補助パッドの平面図である。
【図２】図１のＸ1−Ｘ1断面図である。
【図３】図１のＸ1−Ｘ1断面図である。
【図４】本発明の吸収性補助パッドの使用例を示す図面である。
【発明を実施するための形態】
【００２０】
以下、添付図面を参照して、本発明を実施するための形態について、詳細に説明する。なお、本発明の実施形態の説明の全体を通して、同じ要素には同じ符号を付している。
【００２１】
本明細書の説明において、吸収性補助パッド１の着用時とは、吸収性補助パッド１の装着時及び装着後の少なくとも一方をいう。吸収性補助パッド１の長手方向とは、後述する立体ギャザー５０に平行な方向であり、図中、符号Ｙで示す方向である。また、吸収性補助パッド１の幅方向とは、長手方向に対して横又は直交する方向であり、図中、符号Ｘで示す方向である。さらに、身体側表面とは、吸収体４０等の各部材の表裏両面のうち、着用時に着用者の肌側に配される面であり、衣類側表面とは、吸収体４０等の各部材の表裏両面のうち、着用時に着用者の肌側とは反対側に向けられる面である。
【００２２】
＜吸収性補助パッド＞
図１は本発明の吸収性補助パッド１の平面図、図２及び図３は本発明の吸収性補助パッド１の断面図、図４は本発明の吸収性補助パッド１の使用例を示す図面、である。吸収性補助パッド１は、図１、図２及び図３に示すように、液透過性のトップシート２０と、液不透過性のバックシート３０と、トップシート２０及びバックシート３０の間に配置された吸収体４０と、吸収性補助パッド１の幅方向の一方の側端部にのみ、後述する立体ギャザー５０と、を有し、テープ止めタイプの紙おむつ等の吸収性物品１００の端部に配置されるものである。吸収性補助パッド１は、幼児又は成人用を問わず、吸収性物品１００と併用して用いることに適している。図４に示すように、吸収性補助パッド１を、吸収性物品１００の端部に、立体ギャザー５０が吸収性物品１００の外周方向となるようにして、配置することにより、軟便の漏れを効果的に防止することができる。
【００２３】
吸収性補助パッド１の形状は、特に限定されないが、吸収性補助パッド１は、吸収性物品１００の端部に配置し、軟便の漏れを効果的に防止するものであるから、略長方形又は略正方形であることが好ましい。また、吸収性補助パッド１の長手方向及び幅方向の寸法は、５０ｍｍ以上３００ｍｍ以下であることが好ましく、１００ｍｍ以上２５０ｍｍ以下であることがより好ましい。吸収性補助パッド１の長手方向及び幅方向の寸法を上記の範囲にすることにより、吸収性補助パッド１を、吸収性補助パッド１を固定させる吸収性物品１００のタイプや大きさに適合させることができ、必要に応じて低コスト化も図ることができる。
【００２４】
［トップシート］
トップシート２０は、吸収体４０に向けて体液を速やかに通過させるものであり、吸収体４０を挟んで、バックシート３０に対向して配置される。トップシート２０は、肌と当接するシートとなることから、トップシート２０には、柔らかな感触で、肌に刺激を与えないような性質を有する、ポリプロピレン、ポリエチレン、ポリエチレンテレフタレート等の合成繊維、レーヨン等の再生繊維、綿等の天然繊維を用いて、エアスルー法、サーマルボンド法、スパンレース法、スパンボンド法等の公知の加工法によって得られた不織布、開孔ポリエチレンフィルム等の開孔性フィルム、ウレタンフォーム等の発泡フィルム等を用いることができる。トップシート２０は、単層であっても、複数層積層していてもよく、ドライタッチ性を付与するために多数の透孔が形成されていてもよい。
【００２５】
トップシート２０の坪量は、加工性及び強度の点から、１５ｇ／ｍ２以上２００ｇ／ｍ２以下であることが好ましい。トップシート２０には、肌への刺激を低減させるために、ローション、酸化防止剤、抗炎症成分、ｐＨ調整剤、抗菌剤、保湿剤等を適用してもよい。トップシート２０の形状は、特に限定されないが、吸収性補助パッド１の形状に合わせて、略長方形又は略正方形であることが好ましい。
【００２６】
本発明において、トップシート２０は、立体ギャザー５０を備えていない幅方向の側端部において、吸収体４０の一部及びバックシート３０の一部を巻き込むように、折り返された形状を有している。トップシート２０が、このような折り返し形状を有することにより、吸収性物品１００のトップシート上から移行してきた軟便を、吸収性補助パッド１の身体側表面だけでなく、立体ギャザー５０を備えていない側端部からも吸収することができ、より効率的に軟便を吸収することができる。
【００２７】
（開孔）
本発明において、図１から図３に示すように、トップシート２０は、少なくとも、液透過体４１と垂直方向に重複する領域から立体ギャザー５０を備えていない幅方向の側端部までに、複数の開孔２１を有することが好ましい。トップシート２０に複数の開孔２１を設けることにより、後述する液透過体４１と相まって、軟便をせき止めながら選択的に水分を吸収体４０に導くことができる。また、選択的に水分を透過させるために、開孔２１の最外径は０．５ｍｍ以上５．０ｍｍ以下であることが好ましく、１．０ｍｍ以上４．０ｍｍ以下であることがより好ましい。さらに、開孔２１が存在するトップシートの領域における開孔２１の面積率は、２０％以上８０％以下であることが好ましく、３０％以上７０％以下であることがより好ましい。開孔２１の形成方法としては、ピン等による突き刺しや打ち抜きといった物理的な方法、熱エンボス等による熱溶融などの方法を利用できる。
【００２８】
また、開孔２１を設ける態様については、一つのトップシート２０において、所望の箇所に開孔２１を設けてもよいし、開孔２１を設けていないトップシート２０と開孔２１を設けたトップシート２０をそれぞれ用意し、トップシート２０同士をホットメルト接着剤やヒートエンボス等で接合させてもよい。
【００２９】
［バックシート］
バックシート３０は、吸収性補助パッド１の外部に体液が漏れないよう、液不透過性を有し、遮水性を有するシート材が用いられるが、ムレ防止のために透湿性を有していてもよい。このような特性を有するバックシート３０の材料としては、例えば、ポリエチレンシートやポリエチレンラミネート不織布等の厚みの薄いプラスチックシートを挙げることができる。バックシート３０の形状は、特に限定されないが、吸収性補助パッド１の形状に合わせて、略長方形又は略正方形であることが好ましい。なお、バックシート３０の坪量は、加工性及び強度の点から、１５ｇ／ｍ２以上４０ｇ／ｍ２以下であることが好ましい。
【００３０】
本発明において、バックシート３０は、立体ギャザー５０を備えている幅方向の側端部であって、立体ギャザー５０より幅方向内側において、吸収体４０の一部をトップシート２０の衣類側の位置で巻き込むように、折り返された形状を有している。バックシート３０がこのような折り返し形状を有することにより、吸収体４０に移行した軟便が吸収性補助パッド１及び吸収性物品１００の外側に漏れることを効果的に防止することができる。
【００３１】
（固定手段）
吸収性補助パッド１は、バックシート３０の衣類側表面に、吸収性補助パッド１の装着時に、吸収性物品１００と固定するための固定手段３１が形成されている。固定手段３１の基材としては、特に限定されないが、メカニカルフックテープ、粘着テープ、粘着剤を用いることができる。また、固定手段３１を保護するための剥離シートを有していてもよく、この剥離シートは、吸収性補助パッド１の包装シートと一体となっていてもよい。
【００３２】
［吸収体］
吸収体４０は、基材としての吸収性繊維と、高吸収性ポリマー（Ｓｕｐｅｒ  Ａｂｓｏｒｂｅｎｔ  Ｐｏｌｙｍｅｒ、ＳＡＰとも称される）と、を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティッシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体４０の吸収性繊維は、吸収性能及び肌触りを損なわないよう、１００ｇ／ｍ２以上８００ｇ／ｍ２以下の坪量とすることが好ましい。また、吸収性能を維持しつつ、吸収性補助パッド１の寸法に合わせて効率的に製造できるように、吸収体４０の長手方向の寸法は、８０ｍｍ以上２８０ｍｍ以下であることが好ましく、幅方向の寸法は３０ｍｍ以上２００ｍｍ以下であることが好ましい。
【００３３】
ＳＡＰとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体４０のＳＡＰ量は、吸収性能及び肌触りを損なわないよう、５０ｇ／ｍ２以上５００ｇ／ｍ２以下の坪量とすることが好ましい。また、吸収速度及び吸収量の観点から、吸収体４０の重量に対する高吸収性ポリマーの重量は、１５質量％以上５０質量％以下であることが好ましい。
【００３４】
吸収体４０において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。また、ＳＡＰ粒子の漏洩防止や吸収体４０の形状の安定化の目的から、吸収体４０をキャリアシートに包むことが好ましい。キャリアシートの基材としては親水性を有するものであればよく、ティッシュ、吸収紙、エアレイド不織布等の親水性不織布を挙げることができる。キャリアシートを複数備える場合は、キャリアシートの基材は同一のものであっても異なるものであってもよい。
【００３５】
（スリット）
本発明において、吸収体４０は吸収性補助パッド１の長手方向に直線状のスリット４２を少なくとも一本備える。スリット４２を設けることにより、軟便の吸収性を向上させることができる。吸収性向上の観点から、スリット４２の長手方向の寸法は、２０ｍｍ以上２７０ｍｍ以下であることが好ましく、７０ｍｍ以上２２０ｍｍであることがより好ましく、スリット４２の幅方向の寸法は、５ｍｍ以上４０ｍｍ以下であることが好ましい。また、同様の観点から、上記スリット４２の深さは、２ｍｍ以上１５ｍｍ以下とすることが好ましい。
【００３６】
［液透過体］
本発明の吸収性補助パッド１において、幅方向の中心線と立体ギャザー５０を備えていない幅方向の側端部との間に位置する、吸収体４０の身体側表面と、トップシート２０と、の間に、液透過体４１が備えられている。液透過体４１を幅方向の中心線と立体ギャザー５０を備えていない幅方向の側端部との間に設けることにより、液透過体４１が軟便をせき止めながら選択的に水分を吸収体４０に導くことができる。これにより、軟便の流動性が低下するため、軟便が吸収性補助パッド１及び吸収性物品１００の外側に漏れることをより効果的に防止することができる。液透過体４１の幅方向の寸法は、吸収体４０の全体の幅方向の寸法に対して、１０％以上５０％以下であり、軟便の漏れを効果的に防止するために、１５％以上５０％以下であることが好ましく、２０％以上５０％以下であることがより好ましい。また、液透過体４１の幅方向の寸法は１０ｍｍ以上１００ｍｍ以下であり、長手方向の寸法は、８０ｍｍ以上２８０ｍｍ以下であることが好ましい。
【００３７】
また、液透過体４１としては、液透過性を有すれば特に限定しないが、親水性不織布の積層体又は図３に示すように多孔質体であることが液透過性に優れるため好ましい。親水性不織布の積層体としては、エアスルー法、サーマルボンド法、スパンレース法、スパンボンド法等の公知の加工法によって得られた不織布の積層体を用いることができるが、生産効率（資材の長尺化が容易である）の観点から、エアスルー不織布の積層体であることが好ましい。また、積層の態様としては、親水性不織布を複数枚積層してもよく、図２に示すように１枚の親水性不織布を蛇腹状に折り畳んで積層してもよいが、蛇腹状に折り畳んで積層したほうが、表面積が大きくなり軟便をより補足しやすくなるため、好ましい。また、より効果的に水分を吸収体４０に導きやすくするために、親水性不織布に複数の穿孔を設けてもよい。この場合、軟便をせき止めつつ選択的に水分を吸収体４０に導くために、穿孔の最外径は０．５ｍｍ以上５．０ｍｍ以下であることが好ましく、１．０ｍｍ以上４．０ｍｍ以下であることがより好ましい。穿孔の形成方法としては、ピン等による突き刺しや打ち抜きといった物理的な方法、熱エンボス等による熱溶融などの方法を利用できる。
【００３８】
また、多孔質体としては、ウレタンフォームや海綿などを用いることができるが、汎用性及びコストの観点からウレタンフォームを用いることが好ましい。なお、軟便をせき止めつつ選択的に水分を吸収体４０に導くために、多孔質体の平均セル径は０．５ｍｍ以上５．０ｍｍ以下であることが好ましく、１．０ｍｍ以上４．０ｍｍ以下であることがより好ましい。
【００３９】
液透過体４１の厚みは、吸収性能及び着用感のバランスの観点から、１ｍｍ以上１０ｍｍ以下であることが好ましく、２ｍｍ以上８ｍｍ以下であることがより好ましい。同様に、吸収性能及び着用感のバランスの観点から、多孔質体の坪量は、３０ｇ／ｍ２以上３００ｇ／ｍ２以下であることが好ましく、４０ｇ／ｍ２以上２５０ｇ／ｍ２以下であることがより好ましい。
【００４０】
また、より効果的に吸収性物品１００から移行してきた軟便をせき止めるために、立体ギャザー５０を備えていない方向の液透過体４１及び吸収体４０のそれぞれの幅方向端部は、垂直方向に略重複することが好ましい。
【００４１】
［立体ギャザー］
吸収性補助パッド１は、吸収性補助パッド１の幅方向の一方の側端部にのみ、撥水性又は液不透過性を有する二重のシートから構成される立体ギャザー５０を有する。図４に示すように、吸収性補助パッド１を吸収性物品１００の端部に、立体ギャザー５０が吸収性物品１００の外周方向となるようにして、配置することにより、吸収性補助パッド１の吸収性を維持しつつ、軟便の漏れを効果的に防止することができる。
【００４２】
立体ギャザー５０としては、疎水性繊維にて形成された撥水性又は液不透過性のシート、例えば、スパンボンド不織布、メルトブロー不織布、ポリエチレンフィルムを用いることができ、本発明においては、選択した一種又は二種のシートを二重に接合したものが使用される。また、立体ギャザー５０の坪量は、加工性及び強度の点から、１５ｇ／ｍ２以上１００ｇ／ｍ２以下であることが好ましい。このように形成された二重のシートから構成される立体ギャザー５０は、図２に示すように配置される。具体的には、立体ギャザー５０の外側のシートはバックシート３０に固定され、立体ギャザー５０の内側のシートはトップシート２０に固定され、トップシート２０及びバックシート３０に固定されない部分は自由端となるように、立体ギャザー５０は、吸収性補助パッド１に配置される。
【００４３】
本発明において、液透過体４１の身体側に位置するトップシート２０からの立体ギャザー５０の高さは、吸収性補助パッド１の幅方向の寸法に対して、２０％以上であり、より好ましくは２０％以上５０％以下であり、この範囲を満たすことを前提として、１５ｍｍ以上８０ｍｍ以下であることが好ましい。立体ギャザー５０の高さが上記の条件を満たすことで、吸収性補助パッド１からの軟便の漏れを効果的に防止することができる。
【００４４】
（伸縮弾性部材）
また、立体ギャザー５０は、自由端側及び基端側に少なくとも一本ずつの伸縮弾性部材５１を長手方向に沿って有することが好ましい。伸縮弾性部材５１を長手方向に沿って設けることで、立体ギャザー５０が起立性を有し、着用者の体型に合わせて変形可能なものとなり、フィット性が向上することで、軟便の漏れを効果的に防止することができるようになる。伸縮弾性部材５１としては、例えば、ポリウレタン糸、帯状のポリウレタンフィルム、糸状又は帯状の天然ゴム等が使用される。
【００４５】
なお、吸収性補助パッド１の長手方向両端部においては、立体ギャザー５０は、その自由端がトップシート２０上に固定されていることが好ましく、このため、立体ギャザー５０の内側側面が、トップシート２０の身体側表面と接合していることが好ましい。これにより、立体ギャザー５０は、長手方向両端部を除く部位のみにおいて起立することとなる。
【００４６】
＜吸収性補助パッドの製造方法＞
吸収性補助パッド１の製造方法としては、特に限定はなく、従来公知の方法を採用することができる。例えば、立体ギャザー５０をあらかじめトップシート２０上に配置し、このトップシート２０とバックシート３０との間に、バックシート３０側から吸収体４０と液透過体４１を順に積層する。そして、トップシート２０とバックシート３０とを一部又は全周に亘ってホットメルト接着剤やヒートエンボス、超音波エンボス、高周波エンボス等を用いて固定し、バックシート３０の衣類側表面に固定手段３１を形成する。
【００４７】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４８】
１        吸収性補助パッド
２０      トップシート
２１      開孔
３０      バックシート
３１      固定手段
４０      吸収体
４１      液透過体
４２      スリット
５０      立体ギャザー
５１      伸縮弾性部材
１００    吸収性物品
【図１】
2019024592.tif 000003
【図２】
2019024592.tif 000004
【図３】
2019024592.tif 000005
【図４】
2019024592.tif 000006